(57)【要約】【課題】表示部材が制約を受けず、導光板の面発光で表示部材全体をほぼ均一に照明できる。【解決手段】発光素子２３の光を側面から入射して面方向に導き、且つその厚み方向に光透過性を有する導光板２４の下面側に、文字板１３と液晶表示素子１０とを配置し、この導光板２４の上面全体に、導光板２４で導かれた光をその下面側に向けて反射する反射面２５ａを有するライン状のプリズム２５を多数形成した。従って、明るい所で外部光が導光板２４を透過するので、文字板１３と液晶表示部材１０とを良好に照明できる。また、発光素子２３を発光させて導光板２４で面方向に導かれた光をプリズム２５の反射面２５ａで導光板２４の下面側に向けて反射するので、導光板２４全体を面発光させて文字板１３と液晶表示素子１０とをほぼ均一に照明できる。しかも、文字板１３が上面側から照明されるので、文字板１３が材質の制約を受けず、自由な材料を用いることができる。【選択図】        図３
2004198681.tif 000002
【特許請求の範囲】
【請求項１】
光源からの光を導光板の側面から入射し、この入射した光を前記導光板で面方向に導いて前記導光板を面発光させることにより、表示部材を照明する照明装置において、
前記導光板はその厚み方向に光透過性を有し、
前記導光板の上面全体には、前記導光板で面方向に導かれた光を前記導光板の下面側に向けて反射する反射面を有するライン状のプリズムが多数形成され、
前記表示部材は少なくとも前記導光板の下面側に配置されている
ことを特徴とする照明装置。
【請求項２】
前記ライン状のプリズムは、前記光源とこれに対向する前記導光板の対角部とを結ぶ直線に対しほぼ直交して設けられ、その反射面が一方側に向いて設けられていることを特徴とする請求項１に記載の照明装置。
【請求項３】
前記導光板の側面には、前記導光板で面方向に導かれて前記導光板の端面に到達した光を前記導光板内に向けて反射する側面反射部が設けられていることを特徴とする請求項２に記載の照明装置。
【請求項４】
前記ライン状のプリズムは、前記光源とこれに対向する前記導光板の対角部とを結ぶ直線に対しほぼ平行に設けられ、その反射面が一方側に向いて設けられ、少なくとも前記プリズムの前記反射面側に位置する前記導光板の側面には、前記導光板で面方向に導かれて前記導光板の端面に到達した光を前記導光板内に向けて反射する側面反射部が設けられている
ことを特徴とする請求項１に記載の照明装置。
【請求項５】
前記導光板は、第１照明領域と第２照明領域とを備え、
前記第１照明領域は、反射面を一方側に向けて設けた第１プリズムと、この第１プリズムの前記反射面側に位置する前記導光板の側面に設けられた第１側面反射部とを有し、
前記第２照明領域は、反射面を前記第１プリズムと反対側に向けて設けた第２プリズムと、この第２プリズムの前記反射面側に位置する前記導光板の側面に設けられた第２側面反射部とを有している
ことを特徴とする請求項４に記載の照明装置。
【請求項６】
前記光源は、前記導光板の外周部の所定個所に対向して配置された第１発光素子と、この第１発光素子の対角線上に位置する前記導光板の外周部に対向して配置された第２発光素子とを備え、前記第１、第２発光素子がそれぞれ異なる色の光を発光することを特徴する請求項１に記載の照明装置。
【請求項７】
前記導光板は、前記第１発光素子からの光を前記導光板の下面側に向けて放射する第１照明領域と、前記第２発光素子からの光を前記導光板の下面側に向けて放射する第２照明領域とを備えていることを特徴する請求項６に記載の照明装置。
【請求項８】
前記光源は、前記導光板の外周側の所定個所に配置された第１発光素子と、この第１発光素子の対角線上に位置する前記導光板の外周側に配置された第２発光素子とを備え、前記第１、第２発光素子の一方が可視光線領域の光を発光し、その他方が紫外線領域の光を発光する構成であり、
前記表示部材の一部には、紫外線領域の光に反応して可視光線領域の光を発光する発光部が設けられている
ことを特徴する請求項１に記載の照明装置。
【請求項９】
前記表示部材は、上方を指針が運針する文字板、または電気光学的に情報を表示する平面型の表示素子、あるいはその両方を備えた構成であることを特徴とする請求項１〜８のいずれかに記載の照明装置。
【請求項１０】
前記導光板には、前記文字板の上方を運針する前記指針の指針軸が挿入する貫通孔が設けられ、この貫通孔の周面がテーパ状に形成されていることを特徴とする請求項９に記載の照明装置。
【請求項１１】
前記表示部材は光透過性を有する構造で、その下面側にはソーラーパネルが配置されていることを特徴する請求項１〜１０のいずれかに記載の照明装置。
【請求項１２】
前記表示部材は、光透過性を有する第１表示部材と、光反射性を有する第２表示部材とを備え、
前記導光板は前記第１、第２表示部材の間に配置されている
ことを特徴する請求項１〜１１のいずれかに記載の照明装置。
【請求項１３】
前記第１表示部材は電気光学的に情報を表示する透過型の第１表示素子であり、前記第２表示部材は電気光学的に情報を表示する反射型の第２表示素子であることを特徴する請求項１２に記載の照明装置。
【請求項１４】
請求項１〜１３のいずれかに記載の照明装置を収納する機器ケースを備え、この機器ケースには窓部が前記照明装置の前記表示部材に対応して設けられていることを特徴する電子機器。
【発明の詳細な説明】
【０００１】
【発明の属する技術分野】
この発明は、腕時計、携帯電話機、携帯情報端末機、自動車の計器類などの各種の機器に適用して有用な照明装置およびそれを用いた電子機器に関する。
【０００２】
【従来の技術】
例えば、腕時計においては、文字板の上方を指針が運針するアナログ表示機能と、液晶表示素子などの表示素子で時刻などの情報を電気光学的に表示するデジタル表示機能とを備え、１つの照明装置でアナログ表示機能とデジタル表示機能との両方を照明するようしたものがある（例えば、特許文献１参照。）。
【０００３】
【特許文献１】
特開２００２−２８６８６９（Ｐ２００２−２８６８６９Ａ）
【０００４】
この種の腕時計は、透明または半透明の文字板の下側に発光ダイオードの光を側面から採り込んで面方向に導く導光板が配置され、この導光板の表示用切欠部の下側に液晶表示素子が文字板の表示窓部に対応して配置され、この状態で発光ダイオードを発光させると、その光が導光板に採り込まれて面方向に導かれ、この導かれた光が導光板の上面から放射されると共に、導光板の表示用切欠部の端面からも放射され、これにより文字板を通してその上方を照明すると共に、液晶表示素子をその周囲から照明するように構成されている。
【０００５】
【発明が解決しようとする課題】
しかしながら、このような腕時計では、導光板で導かれた光が導光板の上面から放射されるので、上面側を均一に照明することはできても、導光板の表示用切欠部では面発光させることができず、導光板で導かれた光を導光板の表示用切欠部の端面から放射して液晶表示素子の周囲から照射するため、液晶表示素子の上面全体を良好に照明することができないという問題がある。また、この腕時計では、文字板の下面側を導光板で照明しているため、文字板が透明または半透明などの光透過性を有する構造でなければならず、このため文字板が材質の制約を受けるという問題もある。
【０００６】
この発明の課題は、文字板などの表示部材が材質の制約を受けずに、導光板の面発光により表示部材全体をほぼ均一に照明できるようにすることである。
【０００７】
【課題を解決するための手段】
この発明は、上記課題を解決するために、次のような構成要素を備えている。なお、各構成要素には、後述する各実施形態の項で説明される各要素に付されている図面の参照番号などを括弧と共に付す。
請求項１に記載の発明は、図１〜図３８に示すように、光源からの光を導光板の側面から入射し、この入射した光を前記導光板で面方向に導いて前記導光板を面発光させることにより、表示部材を照明する照明装置において、前記導光板（２４）はその厚み方向に光透過性を有し、前記導光板の上面全体には、前記導光板で面方向に導かれた光を前記導光板の下面側に向けて反射する反射面（２５ａ、２７ａ、３０ａ、３４ａ、３８ａ、４０ａ、５０ａ、５１ａ、７５ａ、７７ａ）を有するライン状のプリズム（２５、２７、３０、３４、第１プリズム３８、５０、７５、および第２プリズム４０、５１、７７）が多数形成され、前記表示部材（文字板１３および指針１５、または液晶表示素子１０、あるいは第２液晶表示素子６６）は少なくとも前記導光板の下面側に配置されていることを特徴とする照明装置（６）である。
【０００８】
この発明によれば、明るい所では外部光が導光板を上面側から下面側に透過するので、導光板の下側に配置された表示部材を良好に照明することができ、これにより導光板を通して表示部材を視認することができる。また、光源を発光させると、その光が導光板内に側面から入射し、この入射した光が導光板で面方向に導かれ、この導かれた光が各プリズムの反射面で導光板の下面側に向けて反射されるので、導光板全体が面発光して導光板の下側に配置された表示部材全体をほぼ均一に照明することができる。しかも、導光板の面発光により表示部材が上面側から照明されるので、表示部材が材質の制約を受けることがなく、このため表示部材の材料として、光透過性を有する材料、あるいは光透過性を有しない材料などの自由な材料を用いることができる。
【０００９】
請求項２に記載の発明は、図１〜図７に示すように、前記ライン状のプリズム（２５、２７）が、前記光源（発光素子２３）とこれに対向する前記導光板（２４）の対角部とを結ぶ直線に対しほぼ直交して設けられ、その反射面（２５ａ、２７ａ）が一方側に向いて設けられていることを特徴とする請求項１に記載の照明装置である。
この発明によれば、光源からの光が導光板に入射して導光板で面方向に導かれると、この導かれた光がプリズムの反射面で導光板の下面側に向けて反射され、これにより導光板全体が面発光し、この面発光した光が導光板の下面側に放射されるので、導光板の下面側に配置された表示部材全体をほぼ均一に照明することができる。
【００１０】
請求項３に記載の発明は、図５〜図７に示すように、前記導光板（２４）の側面に、前記導光板で面方向に導かれて前記導光板の端面に到達した光を前記導光板内に向けて反射する側面反射部（２８）が設けられていることを特徴とする請求項２に記載の照明装置である。
この発明によれば、請求項２に記載の発明と同様、光源からの光が導光板で面方向に導かれるが、この導かれた光が導光板の端面に到達すると、この到達した光が導光板の側面に設けられた側面反射部で導光板内に向けて反射されるので、導光板の側面からの漏れ光を防ぐことができるほか、導光板のプリズムの反射面が光源と反対側に向いて設けられていれば、側面反射部で反射された光が導光板のプリズムでその下面側に向けて反射され、これにより導光板全体が面発光し、この面発光した光が導光板の下面側に放射されるので、これによっても導光板の下面側に配置された表示部材全体をほぼ均一に照明することができる。
【００１１】
請求項４に記載の発明は、図８〜図３８に示すように、前記ライン状のプリズム（プリズム３０、３４、第１プリズム３８、７５、第２プリズム４０、７７）が、前記光源（発光素子２３、第１発光素子４７、５３、第２発光素子４８、５４）とこれに対向する前記導光板（２４）の対角部とを結ぶ直線に対しほぼ平行に設けられ、その反射面（３０ａ、３４ａ、３８ａ、４０ａ、７５ａ、７７ａ）が一方側に向いて設けられ、少なくとも前記プリズムの前記反射面側に位置する前記導光板の側面に、前記導光板で導かれて前記導光板の端面に到達した光を前記導光板内に向けて反射する側面反射部（側面反射部３１、３５、５５、第１側面反射部３９、７６、第２側面反射部４１、７８）が設けられていることを特徴とする請求項１に記載の照明装置である。
【００１２】
この発明によれば、光源からの光が導光板で面方向に導かれ、この導かれた光が導光板の端面に到達すると、この到達した光が側面反射部によって導光板内に向けて反射され、この反射された光が各プリズムの反射面で導光板の下面側に向けて反射され、これにより導光板が面発光し、その光が導光板の下面側に放射されるので、導光板の下側に配置された表示部材全体をほぼ均一に照明することができる。このときには、光源から導光板に入射した光が導光板の面方向に導かれるときに、その光がプリズムの反射面で導光板の下面側に向けてほとんど反射されないため、輝線スペクトルが発生せず、輝線スペクトルによる影響を受けずに表示部材を良好に視認することができる。
【００１３】
請求項５に記載の発明は、図１４〜図１６、図３２〜図３８に示すように、前記導光板（２４）が、第１照明領域（３６、７３）と第２照明領域（３７、７４）とを備え、前記第１照明領域が、反射面（３８ａ、７５ａ）を一方側に向けて設けた第１プリズム（３８、７５）と、この第１プリズムの前記反射面側に位置する前記導光板の側面に設けられた第１側面反射部（３９、７６）とを有し、前記第２照明領域が、反射面（４０ａ、７７ａ）を前記第１プリズムと反対側に向けて設けた第２プリズム（４０、７７）と、この第２プリズムの前記反射面側に位置する前記導光板の側面に設けられた第２側面反射部（４１、７８）とを有していることを特徴とする請求項４に記載の照明装置である。
【００１４】
この発明によれば、光源からの光が導光板に入射して導光板内を面方向に導かれても、その光が第１、第２プリズムの各反射面で導光板の下面側に向けてほとんど反射されず、そのまま面方向に導かれ、この導かれた光が導光板の側面に設けられた第１、第２側面反射部で導光板内に向けて反射されると、第１側面反射部で反射された光が第１プリズムの反射面で導光板の下面側に向けて反射されると共に、第２側面反射部で反射された光が第２プリズムの反射面で導光板の下面側に向けて反射され、これにより第１、第２照明領域がそれぞれ面発光するので、光源からの光を効率良く導光板の下面側に放射することができ、このため請求項４に記載の発明のものよりも、導光板の下面側に配置された表示部材全体を均一に且つ明るく照明することができる。
【００１５】
請求項６に記載の発明は、図２２〜図２６に示すように、前記光源が、前記導光板（２４）の外周部の所定個所に対向して配置された第１発光素子（４７）と、この第１発光素子の対角線上に位置する前記導光板の外周部に対向して配置された第２発光素子（４８）とを備え、前記第１、第２発光素子がそれぞれ異なる色の光を発光することを特徴する請求項１に記載の照明装置である。
この発明によれば、第１発光素子を発光させると、その特定色の光によって導光板の下面側を照明することができ、また第２発光素子を発光させると、第１発光素子と異なる色の光で導光板の下面側を照明することができ、さらに第１、第２発光素子の両方を同時に発光させると、その両方の混合色の光で導光板の下面側を照明することができ、これにより色彩性および装飾性に優れたものを得ることができる。
【００１６】
請求項７に記載の発明は、図２２〜図２６に示すように、前記導光板（２４）が、前記第１発光素子（４７）からの光を前記導光板の下面側に向けて放射する第１照明領域（４５）と、前記第２発光素子（４８）からの光を前記導光板の下面側に向けて放射する第２照明領域（４６）とを備えていることを特徴する請求項６に記載の照明装置である。
この発明によれば、請求項６に記載の発明と同様、第１発光素子を発光させると、その特定色の光が第１照明領域で導光板の下面側に向けて放射されるので、導光板の下面側を特定色の光で照明することができ、また第２発光素子を発光させると、第１発光素子と異なる色の光が第２照明領域で導光板の下面側に向けて放射されるので、導光板の下面側を第１発光素子と異なる色の光で照明することができるほか、特に第１、第２発光素子を同時に発光させても、第１、第２照明領域ごとに異なる色の光で導光板の下面側を照明することができ、このため、より一層、色彩性および装飾性の高いものを得ることができる。
【００１７】
請求項８に記載の発明は、図２７〜図２９に示すように、前記光源が、前記導光板（２４）の外周側の所定個所に配置された第１発光素子（５３）と、この第１発光素子の対角線上に位置する前記導光板の外周側に配置された第２発光素子（５４）とを備え、前記第１、第２発光素子の一方が可視光線領域の光を発光し、その他方が紫外線領域の光を発光する構成であり、前記表示部材の一部（文字板５６の時字５６ａおよび指針１５）には、紫外線領域の光に反応して可視光線領域の光を発光する発光部（５９）が設けられていることを特徴する請求項１に記載の照明装置である。
【００１８】
この発明によれば、第１、第２発光素子の一方、例えば第１発光素子（５３）を発光させると、人間の目に見える可視光線領域の光を発光し、この可視光線領域の光によって導光板の下面側を照明することができるので、表示部材を視認することができ、また第１、第２発光素子の他方、例えば第２発光素子（５４）を発光させると、人間の目に見えない紫外線領域の光を発光し、この紫外線領域の光が表示部材に照射されると、この照射された紫外線領域の光に表示部材の発光部が反応して可視光線領域の光を発光するので、この発光部で発光した可視光線領域の光によって表示部材を視認することができ、これによっても装飾性に優れたものを得ることができる。
【００１９】
請求項９に記載の発明は、図１〜図２６に示すように、前記表示部材が、上方を指針（１５）が運針する文字板（１３）、または電気光学的に情報を表示する平面型の表示素子（液晶表示素子１０）、あるいはその両方を備えた構成であることを特徴とする請求項１〜８のいずれかに記載の照明装置である。
この発明によれば、請求項１に記載の発明と同様、光源からの光が導光板で導かれて面発光し、この面発光した光が導光板の下面側に向けてほぼ均一に放射されるので、表示部材が、文字板、または平面型の表示素子、あるいはその両方を備えた構成であっても、導光板の面発光によって表示部材全体を上面側から良好に照明することができる。
【００２０】
請求項１０に記載の発明は、図１７〜図２１に示すように、前記導光板（２４）に、前記文字板（１３）の上方を運針する前記指針（１５）の指針軸（１２）が挿入する貫通孔（４２、４４）が設けられ、この貫通孔の周面がテーパ状に形成されていることを特徴とする請求項９に記載の照明装置である。
この発明によれば、光源からの光が導光板で面方向に導かれて貫通孔の周面に到達すると、この貫通孔の周面がテーパ状に形成されているため、到達した光を導光板の上下面方向に反射することができ、これにより輝線スペクトルの発生を防ぐことができる。すなわち、貫通孔が円柱状に形成されていると、光源から導光板に入射して導かれた光がその進行方向に対し直交する方向に反射され、この反射された光がプリズムに対し直交した状態で導光板内を進行するので、図２０に示す輝線スペクトル（４３）が発生するが、この発明では反射光が導光板の上下面側に反射されるため、輝線スペクトルは発生しない。
【００２１】
請求項１１に記載の発明は、図３０および図３１に示すように、前記表示部材（文字板５６）は光透過性を有する構造で、その下面側にはソーラーパネル（６０）が配置されていることを特徴する請求項１〜１０のいずれかに記載の照明装置である。
この発明によれば、表示部材が光透過性を有するので、表示部材を導光板の上下面のいずれかに配置することができ、このため明るい所では外部光が導光板および表示部材を上面側から下面側に向けて透過するので、外部光をソーラーパネルに照射することができ、これによりソーラーパネルで良好に発電することができ、しかも光源からの光を導光板で導いて導光板の下面側を照明する際、表示部材が導光板の下面側に配置されていれば、その表示部材を上面側から照明することができ、また表示部材が導光板の上面側に配置されていれば、導光板から放射された光をソーラーパネルで反射し、この反射光が導光板を透過するので、表示部材を下面側から照明することができる。
【００２２】
請求項１２に記載の発明は、図２７〜図３５に示すように、前記表示部材が、光透過性を有する第１表示部材（文字板５６、第１液晶表示素子６５）と、光反射性を有する第２表示部材（液晶表示素子１０、第２液晶表示素子６６）とを備え、前記導光板（２４）が前記第１、第２表示部材の間に配置されていることを特徴する請求項１〜１１のいずれかに記載の照明装置である。
この発明によれば、請求項１に記載の発明と同様、光源からの光が導光板で導かれて第２表示部材に照射されると、この照射された光が光反射性を有する第２表示部材で反射され、この反射された光が導光板を下面側から上面側に向けて透過し、この透過した光によって光透過性を有する第１表示部材が照明されるので、第１表示部材を視認することができると共に、この第１表示部材および導光板を透して第２表示部材を視認することができ、これにより第１、第２表示部材の両方を見ることができる。
【００２３】
請求項１３に記載の発明は、図３２〜図３５に示すように、前記第１表示部材が電気光学的に情報を表示する透過型の第１表示素子（第１液晶表示素子６５）であり、前記第２表示部材が電気光学的に情報を表示する反射型の第２表示素子（第２液晶表示素子６６）であることを特徴する請求項１２に記載の照明装置である。
この発明によれば、請求項１２に記載の発明と同様、光源からの光が導光板で導かれて第２表示素子に照射されると、その光が反射型の第２表示素子で反射され、この反射された光が導光板を下面側から上面側に向けて透過して透過型の第１表示素子に下面側から照射されるので、第１表示素子に表示された情報を見ることができると共に、この第１表示素子および導光板を透して第２表示素子に表示された情報を見ることができ、これによっても第１、第２表示素子の両方に表示された情報を見ることができる。
【００２４】
請求項１４に記載の発明は、図１〜図３８に示すように、請求項１〜１３のいずれかに記載の照明装置（６）を収納する機器ケース（腕時計ケース１、機器ケース８０）を備え、この機器ケースには窓部（時計ガラス２、保護ガラス８１）が前記照明装置の前記表示部材（文字板１３、５６と指針１５、液晶表示素子１０、第１、第２液晶表示素子６５、６６）に対応して設けられていることを特徴する電子機器である。
この発明によれば、請求項１に記載の発明と同様、照明装置によって導光板の下面側を照明することができるので、導光板の下面側に配置された表示部材を良好に照明することができると共に、導光板および機器ケースの窓部を通して表示部材を機器ケースの外部から視認することができる。
【００２５】
【発明の実施の形態】
［第１実施形態］
以下、図１〜図４を参照して、この発明を腕時計に適用した第１実施形態について説明する。
図１はこの発明の腕時計の正面図、図２はそのＡ−Ａ矢視における拡大断面図である。この腕時計は、図１および図２に示すように、腕時計ケース１を備えている。この腕時計ケース１は、金属製のケース本体１ａの外周面に合成樹脂製の第１、第２ベゼル１ｂ、１ｃを設けた構造になっている。この腕時計ケース１の上部には、時計ガラス２が装着されており、腕時計ケース１の内部には時計モジュール３が収納されている。また、この腕時計ケース１の下部には、裏蓋４が防水リング５を介して取り付けられている。
【００２６】
時計モジュール３は、アナログ機能とデジタル機能との両方を備えているほか、照明装置６をも備えた構成になっている。すなわち、この時計モジュール３は、図２に示すように、上部ハウジング７と下部ハウジング８とを備え、上部ハウジング７にアナログムーブメント９と液晶表示素子１０とが設けられ、上部ハウジング７と下部ハウジング８との間に回路基板１１が設けられた構成になっている。この場合、回路基板１１は、アナログムーブメント９、液晶表示素子１０、および照明装置６を電気的に駆動するための電子回路を構成する各種の電子部品（図示せず）が搭載されている。
【００２７】
アナログムーブメント９は、図２に示すように、その指針軸１２が上部ハウジング７の上側に配置された文字板１３および後述する照明装置６の導光板２４の各貫通孔１４を通して上方に突出し、この突出した指針軸１２の上端部に時針、分針などの指針１５が取り付けられ、この指針１５が文字板１３の上方を運針するように構成されている。この場合、文字板１３は、金属または合成樹脂で形成され、図２および図３に示すように、その所定個所に開口部１６が液晶表示素子１０に対応して設けられた構造になっている。この文字板１３および指針１５によって指針表示部が構成され、この指針表示部が表示部材の一部に相当する構成になっている。
【００２８】
また、液晶表示素子１０は、図４に示すように、上下一対の透明な電極基板１７、１８間に液晶（図示せず）を封入し、上側の電極基板１７の上面および下側の電極基板１８の下面にそれぞれ偏光板１９、２０を設け、下側の偏光板１９、２０の下面に反射板２１を設けた反射型のものであり、図２に示すように、上側の電極基板１７の端部がインターコネクタ２２によって回路基板１１に電気的に接続された状態で支持され、この状態で上下一対の電極基板１７、１８間に選択的に電圧を印加することにより、時刻などの情報を電気光学的に表示するように構成されている。この液晶表示素子１０も表示部材の一部に相当する構成なっており、この液晶表示素子１０と上記指針表示部とによって表示部材が構成されている。
【００２９】
照明装置６は、図１〜図３に示すように、光源である発光素子２３と、この発光素子２３で発光した光を側面から採り込んで面方向に導く導光板２４とを備えている。発光素子２３は、可視光線領域の光を発光する発光ダイオード（ＬＥＤ）などで構成され、図１〜図３に示すように、１２時側に位置する導光板２４の側面に対応して配置され、そのリード線２３ａが回路基板１１に電気的に接続された構成になっている。導光板２４は、透明な材料で形成され、その厚み方向つまり上下方向に光を透過すると共に、発光素子２３からの光を側面から採り込んで面方向に導いて面発光し、この面発光した光で導光板２４の下面側を照明するものであり、文字板１３上に配置されている。
【００３０】
すなわち、この導光板２４の上面には、図１および図３に示すように、ライン状のプリズム２５が上面の全域に亘って多数配列形成されている。これらプリズム２５は、図１に示すように、発光素子２３とこれに対向する導光板２４の対角部とを結ぶ対角線、つまり１２時と６時とを結ぶ直線に対しほぼ直交して設けられている。また、これらプリズム２５の反射面２５ａは、１２時と６時とを結ぶ直線方向、つまり１２時側と６時側とのいずれか一方、この第１実施形態では図３に示すように発光素子２３が配置された１２時側（同図では右側）に向けて設けられ、これにより１２時側から導光板２４内に入射して導かれた光を導光板２４の下面側に向けて反射するように構成されている。この場合、プリズム２５は、その配列ピッチが発光素子２３つまり１２時側から離れるに従って次第に狭くなり、これにより発光素子２３からの光を導光板２４の下面側に向けてほぼ均一に放射するように構成されていることが望ましい。
【００３１】
このような腕時計によれば、明るい所では外部光が時計ガラス２を通して腕時計ケース１内に入射し、この入射した外部光が指針１５および導光板２４に照射されると共に、この導光板２４を透過して文字板１３にも照射されるので、文字板１３および指針１５によって時刻を知ることができる。このときには、文字板１３に照射された外部光は、文字板１３で反射されて導光板２４の下面に照射され、この照射された光が導光板２４を透過してその上面側に放射されるので、これによっても指針１５が照明され、より一層、鮮明に時刻を知ることができる。
【００３２】
また、このときには、外部光が文字板１３の開口部１６にも照射されるので、この文字板１３の開口部１６を外部光がそのまま透過して液晶表示素子１０に照射され、これにより液晶表示素子１０をも照明することができ、このため液晶表示素子１０に表示された時刻などの情報をも視認することができる。すなわち、液晶表示素子１０に外部光が照射されると、その外部光が上側の偏光板１９、上下の電極基板１７、１８、および下側の偏光板２０を透過して反射板２１で反射され、この反射光が上記と逆の光路を経て再び文字板１３の開口部１６を通して導光板２４に下面側から照射され、この照射された光が導光板２４を透過してその上方に放射されるので、時計ガラス２を通して液晶表示素子１０に表示された時刻などの情報を腕時計ケース１の外部から視認することができる。
【００３３】
また、暗い所で照明装置６の発光素子２３を発光させると、この発光素子２３の光が導光板２４に側面から入射して導光板２４で面方向に導かれ、この導かれた光が導光板２４の各プリズム２５の反射面２５ａで導光板２４の下面側に向けて反射され、これにより導光板２４全体が面発光し、この面発光した光が導光板２４の下面側に放射されるので、この放射された光によって導光板２４の下側に配置された文字板１３およびこの文字板１３の開口部１６に対応する液晶表示素子１０を照明することができる。
【００３４】
このときにも、文字板１３に照射された光が文字板１３で反射されて導光板２４を下面側から上面側に向けて透過し、この透過した光が導光板２４の上方を運針する指針１５を照明するので、暗い所でも文字板１３および指針１５によって時刻を知ることができる。また、液晶表示素子１０に照射された光は、上記と同様、液晶表示素子１０に入射し、この入射した光が液晶表示素子１０の反射板２１で反射され、この反射された光が液晶表示素子１０の上面から放射されて文字板１３の開口部１６および導光板２４を透過するので、暗い所でも液晶表示素子１０に表示された情報を見ることができる。
【００３５】
このように、この腕時計によれば、暗い所で発光素子２３を発光させると、その光が導光板２４で面方向に導かれ、この導かれた光が導光板２４のプリズム２５の反射面２５ａで導光板２４の下面側に向けて反射され、これにより導光板２４全体が面発光し、この面発光した光によって導光板２４の下側に配置された文字板１３および液晶表示素子１０をほぼ均一に照明することができ、これにより明るい所でも暗い所でも時刻や情報を知ることができる。
【００３６】
この場合には、特に導光板２４のプリズム２５の配列ピッチが発光素子２３から離れるに従って次第に狭くなっているので、導光板２４で導かれた光を導光板２４の下面側に向けてほぼ均一に放射することができ、これにより導光板２４全体をほぼ均一な輝度で面発光させることができ、より一層、文字板１３および液晶表示素子１０の全体を均一に照明することができる。また、文字板１３が導光板２４によって上面側から照明されるので、文字板１３が材質の制約を受けず、文字板１３として、光透過性を有する材料、あるいは光透過性を有しない材料などの自由な材料を用いることができる。
【００３７】
なお、上記第１実施形態では、導光板２４の上面全体に形成されたプリズム２５の反射面２５ａが１２時側を向いて設けられている場合について述べたが、これに限らず、例えば図５〜図７に示された第１変形例のように、導光板２４の上面全体にプリズム２７を、発光素子２３とこれに対向する導光板２４の対角部とを結ぶ対角線、つまり１２時と６時とを結ぶ直線に対しほぼ直交させて形成し、このプリズム２７の反射面２７ａを発光素子２３と反対側つまり６時側（図７では左側）に向けて設けた構成でも良い。この場合には、図５に示すように、導光板２４の６時側の側面、例えば４時から６時を経て８時に到る個所の導光板２４の側面に側面反射部２８を設ければ良い。なお、このプリズム２７も、その配列ピッチが側面反射部２８つまり６時側から離れるに従って次第に狭くなるように構成されていることが望ましい。
【００３８】
このような構造の第１変形例では、発光素子２３からの光が導光板２４に入射して面方向に導かれるときに、プリズム２７の反射面２７ａでほとんど反射されずに導光板２４内を面方向に導かれ、この導かれた光が導光板２４の側面に到達して導光板２４の側面反射部２８で反射されると、この反射された光が再び導光板２４で導かれ、この導かれた光がプリズム２７の反射面２７ａで導光板２４の下面側に向けて反射されるので、導光板２４の側面からの光の漏れを軽減することができるほか、第１実施形態と同様、導光板２４全体が面発光して導光板２４の下面側に配置された文字板１３および液晶表示素子１０の全体をほぼ均一に照明することができる。
【００３９】
［第２実施形態］
次に、図８〜図１１を参照して、この発明を腕時計に適用した第２実施形態について説明する。なお、図１〜図４に示された第１実施形態と同一部分には同一符号を付して説明する。
この腕時計は、照明装置６の導光板２４の上面全体に多数配列形成されたプリズム３０が第１実施形態と異なる構造で、これ以外は第１実施形態とほぼ同じ構造になっている。すなわち、このプリズム３０は、図８に示すように、発光素子２３とこれに対向する導光板２４の対角部とを結ぶ対角線、つまり１２時と６時とを結ぶ直線に対しほぼ平行に設けられている。
【００４０】
また、これらプリズム３０の反射面３０ａは、１２時と６時とを結ぶ直線に対しほぼ直交する方向、つまり３時側と９時側とのいずれか一方、この第２実施形態では図１０に示すように９時側（同図では左側）に向けて設けられ、これにより９時側から導光板２４内に向けて導かれた光を導光板２４の下面側に向けて反射するように構成されている。この場合にも、プリズム３０は、その配列ピッチが後述する側面反射部３１側つまり９時側から離れるに従って次第に狭くなり、これにより側面反射部３１で反射されて導かれた光を導光板２４の下面側に向けてほぼ均一に放射するように構成されていることが望ましい。
【００４１】
また、この導光板２４は、発光素子２３から導光板２４に入射して面方向に導かれる光がプリズム３０の反射面３０ａでほとんど反射されずに、そのまま面方向に導かれる。このため、この導光板２４の側面には、側面反射部３１が設けられている。この側面反射部３１は、図８に示すように、１２時から９時を経て６時に到る個所の導光板２４の側面に設けられ、図８および図１０に示すように、発光素子２３からの光が導光板２４で導かれて導光板２４の端面に到達した際、その到達した光を導光板２４内に向けて反射するように構成されている。この場合、側面反射部３１は、導光板２４がほぼ円板状に形成されているため、導光板２４の側面にほぼ半円弧状に形成され、これにより発光素子２３から導光板２４内に放射されて導光板２４に到達した光をほぼ平行光として反射するように形成されている。
【００４２】
このような腕時計によれば、第１実施形態と同様、明るい所では外部光が指針１５および導光板２４に照射され、この照射された外部光が導光板２４を透過して文字板１３に照射されると共に、文字板１３の開口部１６を通して液晶表示素子１０に照射されるので、指針１５および文字板１３によって時刻を知ることができると共に、液晶表示素子１０に表示された情報を見ることができる。また、暗い所で発光素子２３を発光させると、この発光素子２３の光が導光板２４で面方向に導かれ、この導かれた光が導光板２４の各プリズム３０の反射面３０ａでほとんど反射されず、そのまま導光板２４内を面方向に導かれる。
【００４３】
このときには、導光板２４の各プリズム３０が、発光素子２３とこれに対向する導光板２４の対角部とを結ぶ直線、つまり１２時と６時とを結ぶ直線に対しほぼ平行に設けられているので、導光板２４によって導かれる光はプリズム３０の反射面３０ａでほとんで反射されずに、導光板２６内をそのまま面方向に導かれる。そして、この導かれた光が導光板２４の側面に到達すると、図８および図１０に示すように、この到達した光が導光板２４の側面に設けられた側面反射部３１で反射されて再び導光板２４内に導入される。この場合、側面反射部３１がほぼ円形状の導光板２４の側面に半円形状に設けられているので、導光板２４の端面に到達した光を側面反射部３１でほぼ平行光として導光板２４内に向けて反射することができる。
【００４４】
このように側面反射部３１で反射された光が導光板２４内に導入されると、導光板２４の各プリズム３０の反射面３０ａで導光板２４の下面側に向けて反射され、これにより導光板２４全体が面発光し、この面発光した光が導光板２４の下面側に放射されるので、この放射された光によって導光板２４の下側に配置された文字板１３およびこの文字板１３の開口部１６に対応する液晶表示素子１０の全体をほぼ均一に照明することができる。このため、暗い所でも文字板１３および指針１５によって時刻を知ることができると共に、液晶表示素子１０に表示された情報を見ることができる。
【００４５】
この場合には、発光素子２３から導光板２４に入射して導かれた光が導光板２４のプリズム３０で反射されずにそのまま面方向に導かれるため、図１１に示すような輝線スペクトル３３は発生しない。すなわち、図１に示した第１実施形態のように、導光板２４の上面にプリズム２５が、発光素子２３とこれに対向する導光板２４の対角部とを結ぶ直線つまり１２時と６時とを結ぶ直線に対しほぼ直交して設けられ、且つそのプリズム２５の反射面２５ａが発光素子２３側つまり１２時側に向いて設けられていると、発光素子２３からの光が導光板２４に入射して導かれるときに、各プリズム２５の反射面２５ａで導光板２４の下面側に向けて反射される。このため、図１１に示すように、反射した部分がその光の進行方向から見たときに、点線状の輝線スペクトル３３として見る。しかし、この第２実施形態のように、発光素子２３から導光板２４に入射して導かれる光が導光板２４のプリズム３０の反射面３０ａで反射されずに、そのまま面方向に導かれる場合には、輝線スペクトル３３は発生しない。
【００４６】
このように、この腕時計によれば、暗い所で発光素子２３を発光させると、その光が導光板２４内に側面から入射して導光板２４で面方向に導かれ、この導かれた光が導光板２４のプリズム３０の反射面３０ａでほとんど反射されずに、そのまま面方向に導かれ、この導かれた光が導光板２４の端面に到達すると、この到達した光が側面反射部３１によって導光板２４内に向けて反射され、この反射された光が各プリズム３０の反射面３０ａで導光板２４の下面側に向けて反射されるので、この反射された光によって導光板２４全体が面発光してその下側に配置された文字板１３および液晶表示素子１０の全体を均一に照明することができる。この場合には、図１１に示したような点線状の輝線スペクトル３３が発生せしないため、輝線スペクトル３３による影響を受けずに、文字板１３および液晶表示素子１０によって良好に時刻や情報を知ることができる。
【００４７】
なお、上記第２実施形態では、導光板２４の上面にプリズム３０をその反射面３０ａを９時側に向けて形成し、導光板２４の１２時から９時を経て６時に到る個所の側面に側面反射部３１を設けた場合について述べたが、これに限らず、例えば図１２および図１３に示す第２変形例のように、導光板２４の上面にプリズム３４をその反射面３４ａを３時側（図１３では右側）に向けて形成し、且つ導光板２４の１２時から３時を経て６時に到る個所の側面に側面反射部３５を設けた構造でも良い。この場合にも、プリズム３４は、その配列ピッチが側面反射部３５側つまり３時側から離れるに従って次第に狭くなるように形成されていることが望ましい。
【００４８】
このような構造の第２変形例では、発光素子２３からの光が導光板２４に入射して面方向に導かれ、この導かれた光が導光板２４の側面に到達して側面反射部３５で反射されると、この反射された光が導光板２４で導かれてプリズム３４の反射面３４ａで導光板２４の下面側に向けて反射されるので、第２実施形態と同様、輝線スペクトル３３が発生せず、文字板１３および液晶表示素子１０の全体を均一に照明することができる。
【００４９】
［第３実施形態］
次に、図１４〜図１６を参照して、この発明を腕時計に適用した第３実施形態について説明する。なお、図８〜図１１に示された第２実施形態および図１２および図１３に示された第２変形例と同一部分には同一符号を付して説明する。
この腕時計は、照明装置６の導光板２４を第１照明領域３６と第２照明領域３７とに分割した構造で、これ以外は第２実施形態およびその第２変形例とほぼ同じ構造になっている。すなわち、この導光板２４は、発光素子２３とこれに対向する導光板２４の対角部とを結ぶ対角線、つまり１２時と６時とを結ぶ直線を境界にして、９時側に第１照明領域３６を形成し、３時側に第２照明領域３７を形成した構造になっている。
【００５０】
第１照明領域３６は、導光板２４の上面に形成された第１プリズム３８と、導光板２４の側面に設けられた第１側面反射部３９とを備えている。この場合、第１プリズム３８は、図１４に示すように、発光素子２３とこれに対向する導光板２４の対角部とを結ぶ対角線、つまり１２時と６時とを結ぶ直線に対しほぼ平行に設けられ、その反射面３８ａが図１６に示すように９時側（同図では左側）に向いて設けられ、これにより９時側から導光板２４に導入された光を導光板２４の下面側に向けて反射するように構成されている。この場合にも、第１プリズム３８は、その配列ピッチが第１側面反射部３９側つまり９時側から離れるに従って次第に狭くなるように形成されていることが望ましい。第１側面反射部３９は、第２実施形態と同様、導光板２４の１２時から９時を経て６時に到る個所の側面に設けられ、発光素子２３からの光が導光板２４で面方向に導かれて導光板２４の端面に到達した際、その到達した光を導光板２４内に向けて反射するように構成されている。
【００５１】
また、第２照明領域３７は、導光板２４の上面に形成された第２プリズム４０と、導光板２４の側面に設けられた第２側面反射部４１とを備えている。この場合、第２プリズム４０は、図１４に示すように、発光素子２３とこれに対向する導光板２４の対角部とを結ぶ対角線、つまり１２時と６時とを結ぶ直線に対しほぼ平行に設けられ、その反射面４０ａが図１６に示すように３時側（同図では右側）に向いて設けられ、これにより３時側から導光板２４に導入された光を導光板２４の下面側に向けて反射するように構成されている。この場合にも、第２プリズム４０は、その配列ピッチが第２側面反射部４１側つまり３時側から離れるに従って次第に狭くなるように形成されていることが望ましい。第２側面反射部４１は、導光板２４の側面の１２時から３時を経て６時に到る個所の側面に設けられ、発光素子２３からの光が導光板２４で面方向に導かれて導光板２４の端面に到達した際、その到達した光を導光板２４内に向けて反射するように構成されている。
【００５２】
このような腕時計によれば、第２実施形態と同様、明るい所では外部光が指針１５および導光板２４に照射され、この照射された外部光が導光板２４を透過して文字板１３に照射されると共に、文字板１３の開口部１６を通して液晶表示素子１０に照射されるので、指針１５および文字板１３によって時刻を知ることができると共に、液晶表示素子１０に表示された情報を見ることができる。
また、暗い所で発光素子２３を発光させると、この発光素子２３の光が照明装置６の導光板２４で導かれ、この導かれた光が第１、第２照明部３６、３７をそのまま面方向に導かれ、この導かれた光が第１、第２照明部３６、３７の第１、第２側面反射部３９、４１で反射され、この反射された光が第１、第２照明部３６、３７の第１、第２プリズム３８、４０で下面側に向けて反射されることにより、文字板１３および液晶表示素子１０を照明することができる。
【００５３】
この場合には、導光板２４の第１、第２照明領域３６、３７の第１、第２プリズム３８、４０が、発光素子２３とこれに対向する導光板２４の対角部とを結ぶ対角線、つまり１２時と６時とを結ぶ直線に対しほぼ平行に設けられているので、第２実施形態と同様、発光素子２３から導光板２４に入射して面方向に導かれた光は、第１、第２照明領域３６、３７をそのまま面方向に導かれ、この導かれた光が導光板２４の端面に到達すると、その到達した光が導光板２４の側面に設けられた第１、第２側面反射部３８、４０で反射され、この反射された光が再び導光板２４の第１、第２照明領域３６、３７に導入される。
【００５４】
このときには、図１４および図１６に示すように、第１照射領域３６の第１プリズム３８の反射面３８ａが９時側に向けて設けられているので、１２時から９時を経て６時に到る個所の第１側面反射部３９で反射された光が第１照明領域３６に導入され、この導入された光が第１プリズム３８の反射面３８ａで導光板２４の下面側に向けて反射され、これにより第１照射領域３６全体が面発光する。また、第２照射領域３７では、その第２プリズム４０の反射面４０ａが３時側に向けて設けられているので、１２時から３時を経て６時に到る個所の第２側面反射部４１で反射された光が第２照明領域３７に導入され、この導入された光が第２プリズム４０の反射面４０ａで導光板２４の下面側に向けて反射され、これにより第２照射領域３７全体が面発光する。
【００５５】
この場合には、発光素子２３からの光が導光板２４の側面から漏れることがないので、発光素子２３からの光を効率良く第１、第２照射領域３６、３７に導いて明るく面発光させることができる。このように第１、第２照明領域３６、３７がそれぞれ面発光すると、その光が文字板１３および液晶表示素子１０に照射されるので、第２実施形態のものよりも、発光素子２３からの光を効率良く文字板１３および液晶表示素子１０に照射することができ、より一層、文字板１３および液晶表示素子１０を明るく照明することができ、これにより暗い所でも時刻や情報を良好に知ることができる。この場合にも、第１、第２プリズム３８、４０が発光素子２３とこれに対向する導光板２４の対角部とを結ぶ対角線、つまり１２時と６時とを結ぶ直線に対しほぼ平行に設けられているので、第２実施形態と同様、輝線スペクトル３３が発生せず、その輝線スペクトル３３による影響を受けずに、文字板１３および液晶表示素子１０を良好に視認することができる。
【００５６】
［第４実施形態］
次に、図１７〜図２０を参照して、この発明を腕時計に適用した第４実施形態について説明する。この場合にも、図８〜図１１に示された第２実施形態と同一部分に同一符号を付して説明する。
この腕時計は、導光板２４に設けられて指針軸１２が挿入する貫通孔４２を円錐状に形成した構造で、これ以外は第２実施形態と同じ構造になっている。
すなわち、この導光板２４の貫通孔４２は、図１８および図１９に示すように、導光板２４の上面側が狭く下面側が広い円錐状に形成され、これにより貫通孔４２の周面がテーパ面に形成された構造になっている。この場合、導光板２４の上面に形成されたプリズム３０は、第２実施形態と同様、その反射面３０ａが導光板２４の９時側に向けて設けられており、側面反射部３１は、導光板２４の１２時から９時を経て６時に到る個所の側面に設けられている。
【００５７】
このような腕時計によれば、第２実施形態と同様の作用効果があるほか、特に発光素子２３から導光板２４内に入射して導かれた光が貫通孔４２の周面に照射されて反射される際、貫通孔４０の周面がテーパ面に形成されているため、図１９に示すように、照射された光が貫通孔４２の周面で上方に向けて反射される。このため、図２０に示すような輝線スペクトル４３の発生を防ぐことができる。すなわち、図９に示した第２実施形態のように、導光板２４の貫通孔１４が円柱状に形成されていると、発光素子２４から導光板２４内に入射して導かれた光が貫通孔１４の周面に照射されると、その周面で光の進行方向に対し直交する方向、つまり導光板２４の３時側と９時側の左右方向に反射される。
【００５８】
このため、図２０に示すように、導光板２４の３時側に向けて反射された光がプリズム３０の反射面３０ａで導光板２４の下面側に向けて反射されるため、その反射された部分が、光の進行方向から見て、図２０に示すような点線状の輝線スペクトル４３として見える。しかし、この第４実施形態のように、貫通孔４２が円錐状に形成されていれば、導光板２４内を面方向に導かれた光が貫通孔４２の周面で３時側に向けて反射されないため、輝線スペクトル４３が発生することがなく、この輝線スペクトル４３による影響を受けずに、文字板１３および液晶表示素子１０を良好に視認することができる。
【００５９】
なお、上記第４実施形態では、導光板２４の貫通孔４２を導光板２４の上面側が狭く下面側が広い円錐状に形成した場合について述べたが、これに限らず、例えば図２１に示すように、導光板２４の貫通孔４４を導光板２４の上面側が広く下面側が狭い逆円錐状に形成し、これにより貫通孔４４の周面を上記と逆向きのテーパ面に形成した構造でも良い。このように構成しても、第４実施形態と同様、導光板２４内を導かれた光が貫通孔４４の周面によって下方に向けて反射されるため、第４実施形態と同様、輝線スペクトル４３が発生せず、その輝線スペクトル４３による影響を受けずに、文字板１３および液晶表示素子１０を良好に視認することができる。
【００６０】
［第５実施形態］
次に、図２２〜図２５を参照して、この発明を腕時計に適用した第５実施形態について説明する。この場合にも、図８〜図１１に示された第２実施形態と同一部分に同一符号を付して説明する。
この腕時計は、時計モジュール３がアナログ機能と照明装置６とを備え、照明装置６の導光板２４の複数個所に第１、第２照明領域４５、４６を設けると共に、この導光板２４の１２時と６時とに位置する側面に対向させて第１、第２発光素子４７、４８を設けた構造になっており、これ以外は第２実施形態とほぼ同じ構造になっている。
【００６１】
すなわち、この時計モジュール３は、図２３に示すように、上部ハウジング７にアナログムーブメント９を設け、このアナログムーブメント９を覆って上部ハウジング７の上面全域に文字板１３を配置し、この文字板１３上に照明装置６の導光板２４を配置した構造になっている。この場合、文字板１３の上面における外周部分には、図２２に示すように、時字１３ａが１時〜１２時に対応して設けられている。また、照明装置６の第１、第２発光素子４７、４８は、いずれも可視光線領域の光を発光する発光ダイオードなどからなり、それぞれ異なる色の光を発光するように構成されている。例えば、第１発光素子４７は、１２時の位置に設けられ、赤色の光を発光するように構成されており、第２発光素子４８は、６時の位置に設けられ、青色の光を発光するように構成されている。
【００６２】
この照明装置６の導光板２４は、図２２に示すように、その上面における複数個所を除くほぼ全域に第２実施形態と同じプリズム３０が第１、第２発光素子４７、４８とを結ぶ対角線に対してほぼ平行に設けられていると共に、その複数個所に第１照明領域４５と第２照明領域４６とが設けられた構造になっている。この場合、プリズム３０は、第２実施形態と同様、その反射面３０ａが９時側に向いて設けられ、これにより９時側から導光板２４内に導入された光を導光板２４下面側に向けて反射するように構成されている。また、この導光板２４の１２時から９時を経て６時に到る個所の側面には、側面反射部３１が設けられている。
【００６３】
一方、第１照明領域４５は、図２２に示すように、文字板１３の各時字１３ａに対応する個所の導光板２４の上面にそれぞれ、図２４および図２５に示すように、ライン状の第１プリズム５０を形成した構成になっている。この第１プリズム５０は、図２２に示すように、第１発光素子４７から放射される光に対しほぼ直交する方向にそれぞれ設けられ、その反射面５０ａが図２４に示すように第１発光素子４７側つまり１２時側（同図では右側）に向いて設けられ、これにより第１発光素子４７からの光を下面側に向けて反射するように構成されている。
【００６４】
また、第２照明領域４６は、図２２に示すように、文字板１３の上面における指針軸１２と６時の時字１３ａとの間に位置する個所の導光板２４の上面に、図２４に示すように、ライン状の第２プリズム５１を形成した構成になっている。この第２プリズム５１は、図２２に示すように、第２発光素子４８から放射される光に対しほぼ直交する方向に設けられ、その反射面５１ａが図２４に示すように第２発光素子４８側つまり６時側（同図では左側）に向いて設けられ、これにより第２発光素子４８からの光を下面側に向けて反射するように構成されている。この場合、第２照明領域４６に対応する個所の文字板１３の上面には、図２２に示すように、絵や図形、記号などの装飾部５２が設けられている。
【００６５】
このような腕時計によれば、第２実施形態と同様、明るい所では外部光が時計ガラス２を通して腕時計ケース１内に入射し、この入射した外部光が指針１５および導光板２４に照射されると共に、この導光板２４を透過して文字板１３にも照射されるので、文字板１３および指針１５によって時刻を知ることができると共に、文字板１３の装飾部５２をも視認することができる。このときには、文字板１３に照射された外部光は、文字板１３で反射されて導光板２４の下面に照射され、この照射された光が導光板２４を透過してその上面側に放射されるので、これによっても指針１５が照明され、より一層、鮮明に時刻を知ることができる。
【００６６】
また、暗い所で第１、第２発光素子４７、４８を発光させると、その光が導光板２４内に入射して面方向に導かれ、この導かれた光のうち、導光板２４の端面に到達した光は、導光板２４の１２時から９時を経て６時に到る側面に設けられた側面反射部３１で反射されて再び導光板２４内に導入され、この導入された光が導光板２４の各プリズム３０の反射面３０ａで導光板２４の下面側に向けて反射されるほか、第１、第２発光素子４７、４８から導光板２４内に入射して面方向に導かれた光が第１、第２照明領域４５、４６で導光板２４の下面側に向けて放射され、これにより文字板１３の各時字１３ａおよび装飾部５２を含む文字板１３の上面全体を照明することができる。
【００６７】
すなわち、第１発光素子４７で発光した特定色の光、例えば赤色の光は、導光板２４で導かれ、この導かれた光のうち、導光板２４の端面に到達して側面反射部３１で反射された赤色の光は、導光板２４の各プリズム３０で導光板２４の下面側に向けて反射され、これにより各時字１３ａおよび装飾部５２を除いて文字板１３の上面を赤色で照明すると共に、第１発光素子４７から導光板２４に入射して導かれた赤色の光は、第１照明領域４５の第１プリズム５０で導光板２４の下面側に向けて反射され、これにより文字板１３の各時字１３ａを赤色で照明する。このときには、第１発光素子４７から導光板２４に入射した赤色の光が第２照明領域４６ではそのまま面方向に導かれるので、文字板１３の装飾部５２はほとんど照明されない。
【００６８】
また、第２発光素子４８で発光した光、つまり第１発光素子４７と異なる色の光、例えば青色の光は、導光板２４で導かれ、この導かれた光のうち、導光板２４の端面に到達して側面反射部３１で反射された青色の光は、導光板２４の各プリズム３０で導光板２４の下面側に向けて反射され、これにより各時字１３ａおよび装飾部５２を除いて文字板１３の上面を青色で照明すると共に、第２発光素子４８から導光板２４に入射して導かれた青色の光は、第２照明領域４６の第２プリズム５１で導光板２４の下面側に向けて反射され、これにより文字板１３の装飾部５２を青色で照明する。このときには、第２発光素子４８から導光板２４に入射した青色の光が第１照明領域４５ではそのまま面方向に導かれるので、文字板１３の各時字１３ａはほとんど照明されない。
【００６９】
このため、第１、第２発光素子４７、４８の両者を同時に発光させると、導光板２４の各プリズム３０で第１、第２発光素子４７、４８の両者の光を導光板２４の下面側に反射するので、文字板１３の上面が各時字１３ａおよび装飾部５２を除いて第１、第２発光素子４７、４８の両者の発光色が混じり合った混合色で照明されるが、第１照明領域４５では第１発光素子４７の発光色、例えば赤色で文字板１３の各時字１３ａのみが照明され、また第２照明領域４６では第２発光素子４８の発光色、例えば青色で文字板１３の装飾部５２のみが照明される。これにより、文字板１３の各時字１３ａが赤色で、文字板１３の装飾部５２が青色で、これ以外の文字板１３の上面がそれらの混合色で見えることになり、色彩性および装飾性に優れたものを得ることができる。
【００７０】
なお、上記第５実施形態では、時計モジュール３がアナログ機能のみを有し、文字板１３の上面に装飾部５２を設け、この装飾部５２に対応させて第２照明領域４８を導光板２４に設けた場合について述べたが、これに限らず、例えば、図２６に示した第３変形例のように、文字板１３に開口部１６を第２照明領域４８に対応させて設け、この開口部１６に対応させて液晶表示素子１０を上部ハウジング７に設けた構造でも良い。このような構造でも、第５実施形態と同様、第１発光素子４７の発光色（例えば赤色）で文字板１３の各時字１３ａを照明することができると共に、第２発光素子４８の発光色（例えば青色）で液晶表示素子１０を照明することができ、これにより文字板１３の装飾部５２に代えて液晶表示素子１０を設けても、色彩性および装飾性に優れたものを得ることができる。
【００７１】
［第６実施形態］
次に、図２７〜図２９を参照して、この発明を腕時計に適用した第６実施形態について説明する。この場合にも、図８〜図１１に示された第２実施形態と同一部分に同一符号を付して説明する。
この腕時計は、光源として、１２時と６時との位置に第１、第２発光素子５３、５４を設け、導光板２４の外周面における１２時から３時を経て６時に到る個所に側面反射部５５を設け、この導光板２４の上面に光透過性を有する文字板５６を配置すると共に、この導光板２４の下面に開口部５７ａを有する反射板５７を配置し、この反射板５７の開口部５７ａの下側に液晶表示素子１０を配置した構造になっており、これ以外は第２実施形態とほぼ同じ構造になっている。
【００７２】
すなわち、第１、第２発光素子５３、５４のうち、導光板２４の１２時に位置する第１発光素子５３は、第２実施形態と同様、可視光線領域の光を発光する発光ダイオードなどで構成され、図２８に示すように、導光板２４の側面に対向して配置され、これにより発光した光が導光板２４の側面から入射するように構成されている。また、導光板２４の６時に位置する第２発光素子５４は、波長が３６５〜３８５ｎｍ（ナノメートル：ナノメートルは１０億分の１メートル）の紫外線領域の光を発光する紫外線発光ダイオードや紫外線灯などで構成され、図２８に示すように、文字板５６の側部の上方に位置した状態で配置され、これにより発光した紫外線領域の光を文字板５６の上面にその側部上方から照射するように構成されている。
【００７３】
この場合、導光板２４の上面には、図２７および図２９に示すように、ライン状の各プリズム３４が多数配列形成されている。このプリズム３４は、第２変形例と同様、第１、第２発光素子５３、５４を結ぶ直線つまり１２時と６時とを結ぶ直線に対しほぼ平行に設けられ、その各反射面３４ａが図２９に示すように３時側（同図では右側）に向けて設けられ、これにより３時側から導光板２４内に導入された光を導光板２４の下面側に向けて反射するように構成されている。また、側面反射部５５は、１２時から３時を経て６時に到る個所に位置する導光板２４の側面に設けられ、第１発光素子５３からの光が導光板２４で面方向に導かれて導光板２４の端面に到達した際、その到達した光を導光板２４内に向けて反射するように構成されている。
【００７４】
反射板５７は、導光板２４から下面側に向けて放射された光を導光板２４に向けて反射するものであり、その所定個所に開口部５７ａが液晶表示素子１０に対応して設けられている。また、文字板５６は、透明または半透明などの光透過性を有する材料からなり、その所定個所に開口部５８が導光板２４の下側に配置された反射板５７の開口部５７ａおよび液晶表示素子１０に対応して設けられていると共に、その上面における外周部分に時字５６ａが１時〜１２時に対応して設けられた構造になっている。この文字板５６の各時字５６ａと指針１５には、図２７に示すように、紫外線領域の光に反応して可視光線領域の光を発光する発光部５９がそれぞれ設けられている。
【００７５】
このような腕時計によれば、明るい所では外部光が指針１５および文字板５６に照射されるので、文字板５６および指針１５によって時刻を知ることができると共に、文字板５６に照射された外部光が文字板５６およびその開口部５８を透過して導光板２４に照射され、この照射された外部光が更に導光板２４を上面側から下面側に透過して反射板５７に照射され、この照射された光が反射板５７の開口部５７ａを透過して液晶表示素子１０に照射されるので、液晶表示素子１０に表示された情報を導光板２４および文字板５６の開口部５８を通して見ることができる。
【００７６】
また、暗い所で第１発光素子５３を発光させると、この第１発光素子５３が人間の目に見える可視光線領域の光を発光し、この可視光線領域の光が導光板２４で面方向に導かれ、この導かれた光が導光板２４の端面に到達すると、導光板２４の側面に設けられた側面反射部５５で反射されて再び導光板２４に導入され、この導入された光が各プリズム３４の反射面３４ａで導光板２４の下面側に向けて反射される。このため、導光板２４全体が面発光し、この面発光した光が反射板５７に照射されると共に、この反射板５７の開口部５７ａを通してその下側の液晶表示素子１０に照射される。このとき、反射板５７に照射された光は、反射板５７で反射され、その反射光が導光板２４を透過して文字板５６に照射されると共に、この文字板５６を透過してその上方の指針１５に照射される。これにより、暗い所でも文字板５６および指針１５によって時刻を知ることができると共に、液晶表示素子１０に表示された情報を見ることができる。
【００７７】
また、第２発光素子５４を発光させると、この第２発光素子５４が人間の目に見えない紫外線領域の光を発光して文字板５６の上面および指針１５に照射されるので、文字板５６の各時字５６ａおよび指針１５に設けられた発光部５９がそれぞれ紫外線領域の光に反応して可視光線領域の光を発光し、これら発光部５９の発光によって暗い所でも文字板５６の時字５６ａと指針１５とを視認することができる。この場合には、第２発光素子５４で発光した紫外線領域の光が文字板５６および導光板２４を透過して反射板５７に照射され、この反射板５７の開口部５７ａを通して液晶表示素子１０に照射されても、その照射光が人間の目に見えない紫外線領域の光であるから、液晶表示素子１０に表示された情報を視認することはできないが、第１、第２発光素子５３、５４を同時に発光させることにより、液晶表示素子１０に照射された情報を第１発光素子５３からの可視光線領域の光によって視認することができる。
【００７８】
このように、この腕時計においても、明るい所でも暗い所でも文字板５６および指針１５によって時刻を知ることができると共に、液晶表示素子１０に表示された情報を見ることができるほか、特に第２発光素子５４を発光させて、紫外線領域の光を文字板５６および指針１５に照射することにより、文字板５６の各時字５６ａおよび指針１５に設けられた各発光部５９を可視光線領域の光で発光させることができるので、装飾性に優れたものを得ることができる。
【００７９】
［第７実施形態］
次に、図３０および図３１を参照して、この発明を腕時計に適用した第７実施形態について説明する。この場合にも、図８〜図１１に示された第２実施形態および図２７〜図２９に示された第６実施形態と同一部分に同一符号を付して説明する。
この腕時計は、導光板２４の上面に光透過性を有する文字板５６を配置し、且つ導光板２４の下面に第６実施形態の反射板５７に代えてソーラーパネル６０を配置した構造で、これ以外は第２実施形態と同じ構造になっている。すなわち、文字板５６は透明な材料からなり、その所定個所に開口部５８が液晶表示素子１０に対応して設けられている。
【００８０】
ソーラーパネル６０は、絶縁基板上に金属製の下部電極層、アモルファスシリコン層、透明な上部電極層、および透明な保護層を下から順に積層した構造で、上方から外部光が照射されると、その外部光が透明な保護層および透明な上部電極を透過してアモルファスシリコン層に照射され、且つこのアモルファスシリコン層を透過した光が下部電極層で反射されることにより、効率良く起電力を発生するように構成されている。また、このソーラーパネル６０は、その中心にアナログムーブメント９の指針軸１２が挿入する貫通孔１４が設けられていると共に、文字板５６の開口部５８に対応する部分に開口部６１が液晶表示素子１０と対応して設けられた構成になっている。
【００８１】
なお、この第７実施形態においても、導光板２４の１２時に位置する側面には、図３０に示すように、発光素子２３が対応して配置されている。また、この導光板２４の上面には、第２実施形態と同様、ライン状のプリズム３０が、発光素子２３とこれに対向する導光板２４の対角部とを結ぶ直線、つまり１２時と６時とを結ぶ直線に対しほぼ平行に設けられている。これら各プリズム３０の反射面３０ａも、第２実施形態と同様、９時側に向けて設けられている。さらに、この導光板２４の１２時から９時を経て６時に到る個所の側面には、図３０に示すように、側面反射部３１が設けられている。
【００８２】
このような腕時計では、第６実施形態と同様、明るい所では外部光が指針１５および文字板５６に照射されるので、この文字板５６および指針１５によって時刻を知ることができると共に、文字板５６に照射された外部光が文字板５６およびその開口部５８を透過して導光板２４に照射され、この照射された外部光が導光板２４を透過してソーラーパネル６０に照射されるので、このソーラーパネル６０によって良好に発電することができる。このときには、ソーラーパネル６０の開口部６１を外部光が透過して液晶表示素子１０に照射されるので、液晶表示素子１０に表示された時刻などの情報をも見ることができる。
【００８３】
また、暗い所で発光素子２３を発光させると、その光が導光板２４に入射して面方向に導かれ、この導かれた光が導光板２４の端面に到達して側面反射部３１で導光板２４内に向けて反射されると、その反射された光が導光板２４内に導入されてプリズム３０の反射面３０ａで導光板２４の下面側に向けて反射され、これにより導光板２４全体が面発光してソーラーパネル６０に照射される。この照射された光のうち、ソーラーパネル６０の開口部６１を透過した光により液晶表示素子１０を上面側から照明することができる。また、ソーラーパネル６０に照射された光はソーラーパネル６０で反射され、この反射された光が導光板２４を透過して文字板５６の下面に照射されるので、文字板５６を照明することができると共に、この照射された光が文字板５６を更に透過するので、その上方の指針１５をも照明することができる。これにより、暗い所でも文字板５６および指針１５によって時刻を知ることができると共に、液晶表示素子１０に表示された情報をも見ることができる。
【００８４】
なお、上記第４〜第７実施形態では、導光板２４の上面に形成されたライン状のプリズム３０、３４の反射面３０ａ、３４ａが９時側または３時側のいずれか一方側に向けて設けられている場合について述べたが、これに限らず、例えば図１４〜図１６に示した第３実施形態と同様、導光板２４に９時側の第１照明領域３６と３時側の第２照明領域３７とを形成し、第１照明領域３６を第１プリズム３８および第１側面反射部３９で構成し、第２照明領域３７を第２プリズム４０および第２側面反射部４１で構成しても良い。
【００８５】
このように構成すれば、第３実施形態と同様、導光板２４で導かれた光が第１、第２照明領域３６、３７の第１、第２側面反射部３９、４１で反射されて再び導光板２４の第１、第２照明領域３６、３７に導入されると、この導入された光が第１、第２プリズム３８、４０の反射面３８ａ、４０ａでそれぞれ導光板２４の下面側に向けて反射され、これにより第１、第２照明領域３６、３７が面発光して文字板１３、５６および液晶表示素子１０を照明することができるので、発光素子２３の光を効率良く文字板１３、５６および液晶表示素子１０に照射することができ、より一層、明るく照明することができる。
【００８６】
［第８実施形態］
次に、図３２〜図３５を参照して、この発明を腕時計に適用した第８実施形態について説明する。この場合には、図１４〜図１６に示された第３実施形態と同一部分に同一符号を付して説明する。
この腕時計は、表示部材として、透過型の第１液晶表示素子６５と反射型の第２液晶表示素子６６とを備え、これら第１、第２液晶表示素子６５、６６の間に導光板２４を配置した構造で、これ以外は第３実施形態とほぼ同じ構造になっている。
【００８７】
すなわち、第１液晶表示素子６５は、図３５に示すように、上下一対の透明な電極基板６７、６８間に液晶（図示せず）を封入し、上側の電極基板６７の上面および下側の電極基板６８の下面にそれぞれ偏光板７０、７１を設けた透過型のものであり、図３３に示すように、上側の電極基板６７の端部がインターコネクタ７２によって回路基板１１に電気的に接続された状態で支持され、この状態で上下一対の電極基板６７、６８間に選択的に電圧を印加することにより、時刻などの情報を電気光学的に表示するように構成されている。
【００８８】
また、第２液晶表示素子６６は、第１実施形態の液晶表示素子１０と同様、上下一対の透明な電極基板１７、１８間に液晶（図示せず）を封入し、上側の電極基板１７の上面および下側の電極基板１８の下面にそれぞれ偏光板１９、２０を設け、下側の偏光板１９、２０の下面に反射板２１を設けた反射型のものであり、図３３に示すように、上側の電極基板１７の端部がインターコネクタ２２によって回路基板１１に電気的に接続された状態で支持され、この状態で上下一対の電極基板１７、１８間に選択的に電圧を印加することにより、時刻などの情報を電気光学的に表示するように構成されている。
【００８９】
この場合、第１、第２液晶表示素子６５、６６は、図３３に示すように、導光板２４とほぼ同じサイズの大きさに形成されている。また、導光板２４は、ほぼ六角形状に形成されており、その３時側に位置する側面には、発光素子２３が対向して配置されている。この導光板２４の上面には、第３実施形態とほぼ同様に、発光素子２３とこれに対向する導光板２４の対角部とを結ぶ対角線、つまり３時と９時とを結ぶ直線を境界にして、１２時側に第１照明領域７３が形成され、６時側に第２照明領域７４が形成された構成になっている。
【００９０】
第１照明領域７３は、導光板２４の上面に形成された第１プリズム７５と、導光板２４の側面に設けられた第１側面反射部７６とを備えている。この第１プリズム７５は、図３２に示すように、発光素子２３とこれに対向する導光板２４の対角部とを結ぶ対角線、つまり３時と９時とを結ぶ直線に対しほぼ平行に設けられ、その反射面７５ａが図３４に示すように１２時側（同図では右側）に向いて設けられ、これにより１２時側から導光板２４に導入された光を導光板２４の下面側に向けて反射するように構成されている。この場合にも、第１プリズム７５は、その配列ピッチが第１側面反射部７６側つまり１２時側から離れるに従って次第に狭くなるように形成されていることが望ましい。また、第１側面反射部７６は、導光板２４の１２時側の側面に設けられ、発光素子２３からの光が導光板２４で面方向に導かれて導光板２４の端面に到達した際、その到達した光を導光板２４内に向けて反射するように構成されている。
【００９１】
第２照明領域７４は、導光板２４の上面に形成された第２プリズム７７と、導光板２４の側面に設けられた第２側面反射部７８とを備えている。この第２プリズム７７は、図３２に示すように、発光素子２３とこれに対向する導光板２４の対角部とを結ぶ対角線、つまり３時と９時とを結ぶ直線に対しほぼ平行に設けられ、その反射面７７ａが図３４に示すように６時側（同図では左側）に向いて設けられ、これにより６時側から導光板２４に導入された光を導光板２４の下面側に向けて反射するように構成されている。この場合にも、第２プリズム７７は、その配列ピッチが第２側面反射部７８側つまり６時側から離れるに従って次第に狭くなるように形成されていることが望ましい。また、第２側面反射部７８は、導光板２４の６時側の側面に設けられ、発光素子２３からの光が導光板２４で面方向に導かれて導光板２４の端面に到達した際、その到達した光を導光板２４内に向けて反射するように構成されている。
【００９２】
このような腕時計によれば、明るい所では外部光が時計ガラス２を通して腕時計ケース１内に入射し、この入射した外部光が第１液晶表示素子６５に照射されると、この照射された外部光が第１液晶表示素子６５および導光板２４を透過して第２液晶表示素子６６に照射され、この照射された外部光が第２液晶表示素子６６に入射して第２液晶表示素子６６の反射板２１で反射され、その反射光が上記と逆の光路を経て再び第２液晶表示素子６６を透過して導光板２４に下面側から照射され、この照射された光が導光板２４および第１液晶表示素子６５を透過するので、第１液晶表示素子６５に表示された情報を視認することができると共に、第２液晶表示素子６６に表示された情報を導光板２４および第１液晶表示素子６５を透して視認することができる。
【００９３】
また、暗い所で照明装置６の発光素子２３を発光させると、第３実施形態と同様、発光素子２３の光が導光板２４で導かれ、この導かれた光が導光板２４の第１、第２照明領域７３、７４をそのまま面方向に導かれて導光板２４の端面に到達すると、その到達した光が導光板２４の第１、第２側面反射部７６、７８で反射され、この反射された光が再び導光板２４の第１、第２照明領域７３、７４に導入されて第１、第２照明領域７３、７４で導光板２４の下面側に向けて反射されるので、第１、第２照明領域７３、７４全体つまり導光板２４全体が面発光して第２液晶表示素子６６を照明する。
【００９４】
このときには、図３２に示すように、１２時側の第１側面反射部７６で反射された光が第１照明領域７３に導入されると、図３４に示すように、第１照射領域７３の第１プリズム７５の反射面７５ａが１２時側に向けて設けられているので、この第１プリズム７５の反射面７５ａで導光板２４の下面側に向けて反射され、これにより第１照射領域７３が面発光する。また、６時側の第２側面反射部７８で反射された光が第２照明領域７４に導入されると、第２照射領域７４の第２プリズム７７の反射面７７ａが６時側に向けて設けられているので、この第２プリズム７７の反射面７７ａで導光板２４の下面側に向けて反射され、これにより第２照射領域７４が面発光する。
【００９５】
このように第１、第２照明領域７３、７４がそれぞれ面発光すると、その光が第２液晶表示素子６６に照射されるので、第３実施形態と同様、発光素子２３からの光を効率良く第２液晶表示素子６６に照射することができ、これにより第２液晶表示素子６６全体を上面側から均一に照明することができる。このときにも、その照明光が第２液晶表示素子６６に入射して反射板２１で反射され、その反射光が上記と逆の光路を経て導光板２４を透過して第１液晶表示素子６５に下面側から照射されるので、第１液晶表示素子６５に表示された情報を視認することができると共に、第２液晶表示素子６６に表示された情報を導光板２４および第１液晶表示素子６５を透して視認することができる。この場合にも、図１１に示した輝線スペクトル３３が発生しないため、その輝線スペクトル３３の影響を受けずに、第１、第２液晶表示素子６５、６６に表示された情報を良好に視認することができる。
【００９６】
なお、上記第８実施形態では、第１、第２液晶表示素子６５、６１の間に導光板２４を配置した場合について述べたが、必ずしも第１、第２液晶表示素子６５、６６の間に導光板２４を配置する必要はなく、第１、第２液晶表示素子６５、６６の上側に導光板２４を配置しても良く、また例えば図３６に示した第４変形例のように、導光板２４の下面に第２液晶表示素子６６のみを配置した構造でも良い。このような構造でも、第８実施形態と同様の作用効果があるほか、第８実施形態のものよりも、より一層、明るく情報を表示することができると共に、腕時計全体の薄型化および小型化をも図ることができる。
【００９７】
［第９実施形態］
次に、図３７および図３８を参照して、この発明を携帯電話機に適用した第９実施形態について説明する。この場合には、図１４〜図１６に示された第３実施形態および図３２〜図３５に示された第８実施形態と同一部分に同一符号を付して説明する。
この携帯電話機は、図３７および図３８に示すように、合成樹脂製の機器ケース８０を備えている。この機器ケース８０の上面における上辺側には開口部が設けられ、この開口部には窓部に相当する透明な保護ガラス８１が装着されており、この機器ケース８０の上面における下辺側には、電話機能に必要な各種のキー釦８２が設けられている。また、この機器ケース８０の上端面には、アンテナ８３が出没可能に取り付けられている。
【００９８】
この機器ケース８０の内部には、図３８に示すように、携帯電話機用のモジュール８４が収納されている。この携帯電話機用のモジュール８４は、電話に必要な情報を表示する液晶表示素子６６および照明装置６を備えている。この照明装置６は、第８実施形態と同様、液晶表示素子６６の上面に配置された導光板２４と、この導光板２４の６時に位置する側面に対向して配置された発光素子２３とで構成されている。この導光板２４は、ほぼ正方形に形成されており、その６時に位置する側面には、図３８に示すように、発光素子２３が対向して配置されている。この導光板２４の上面には、第３実施形態と同様、発光素子２３とこれに対向する導光板２４の対角部とを結ぶ対角線、つまり１２時と６時とを結ぶ直線を境界にして、９時側に第１照明領域３６を形成し、３時側に第２照明領域３７を形成した構造になっている。
【００９９】
第１照明領域３６は、第３実施形態と同様、導光板２４の上面に形成された第１プリズム３８と、導光板２４の９時側の側面に設けられた第１側面反射部３９とを備え、第１プリズム３８の反射面３８ａが９時側に向いて設けられ、これにより９時側の第１側面反射部３９で反射されて導光板２４に導入された光を第１プリズム３８の反射面３８ａで導光板２４の下面側に向けて反射するように構成されている（図１４、図１６参照）。また、第２照明領域３７は、導光板２４の上面に形成された第２プリズム４０と、導光板２４の３時側の側面に設けられた第２側面反射部４１とを備え、第２プリズム４０の反射面４０ａが３時側に向いて設けられ、これにより３時側の第２側面反射部４１で反射されて導光板２４に導入された光を第２プリズム４０の反射面４０ａで導光板２４の下面側に向けて反射するように構成されている（図１４、図１６参照）。
【０１００】
このような携帯電話機によれば、明るい所では外部光が保護ガラス８１を通して機器ケース８０内に入射し、この入射した外部光が導光板２４を透過して液晶表示素子６６に照射されるので、この液晶表示素子６６に表示された情報を導光板２４を通して視認することができる。また、暗い所で発光素子２３を発光させると、第３実施形態と同様、発光素子２３の光が導光板２４で面方向に導かれ、この導かれた光が導光板２４の第１、第２照明領域３６、３７をそのまま面方向に導かれて導光板２４の端面に到達すると、その到達した光が導光板２４の第１、第２側面反射部３９、４１で反射され、この反射された光が導光板２４の第１、第２照明領域３６、３７に導入されて導光板２４の下面側に向けて反射され、これにより第１、第２照明領域３６、３７が面発光して液晶表示素子６６を照明する。
【０１０１】
このときにも、第３実施形態と同様、第１照射領域３６の１２時側の第１側面反射部３９で反射された光が第１照明領域３６に導入されると、第１プリズム３８の反射面３８ａで導光板２４の下面側に向けて反射され、第１照射領域３６が面発光する。また、第２照射領域３７の６時側の第２側面反射部４１で反射された光が第２照明領域３７に導入されると、第２プリズム４０の反射面４０ａで導光板２４の下面側に向けて反射され、第２照射領域３７が面発光する。これにより、第１、第２照明領域３６、３７がそれぞれ面発光して液晶表示素子６６を照明するので、第３実施形態と同様、発光素子２３からの光を効率良く液晶表示素子６６に照射することができると共に、図１１に示した輝線スペクトル３３が発生せず、これにより輝線スペクトル３３による影響を受けずに、液晶表示素子６６に表示された情報を良好に視認することができる。
【０１０２】
なお、上記第８、第９実施形態では、導光板２４に第１、第２照明領域７３、７４または３６、３７を設けた場合について述べたが、これに限らず、図１〜図４に示した第１実施形態、図５〜図７に示した第１変形例、図８〜図１１に示した第２実施形態、図１２および図１３に示された第２変形例のように、導光板２４の上面全体にプリズム２５、２７、３０、３４を形成した構造であっても良い。
また、上記第８、第９実施形態では、導光板２４の３時または６時に位置する個所のみに発光素子２３を設けた場合について述べたが、これに限らず、例えば図２２〜図２４に示した第５実施形態、または図２７〜図２９に示した第６実施形態のように、導光板２４の３時と９時または１２時と６時に位置する２か所に第１、第２発光素子４７、４８または５５、５６を設けた構造でも良い。
【０１０３】
さらに、上記第１〜第９実施形態およびその各変形例では、腕時計または携帯電話機に適用した場合について述べたが、これに限らず、例えば電子手帳、電子辞書、携帯端末機、パーソナルコンピュータ、印刷機などの各種の電子機器、または自動車の計器類などの各種機器、あるいはそれらの各部品に広く適用することができる。
【０１０４】
【発明の効果】
以上説明したように、この発明によれば、光源からの光を導光板の側面から入射し、この入射した光を導光板で面方向に導いて導光板を面発光させることにより、表示部材を照明する照明装置において、導光板がその厚み方向に光透過性を有し、この導光板の上面全体に導光板で導かれた光をその下面側に向けて反射する反射面を有するライン状のプリズムを多数形成し、表示部材を少なくとも導光板の下面側に配置したことにより、明るい所で外部光が導光板を透過するので、導光板の下側に配置された表示部材を良好に照明でき、これにより導光板を通して表示部材を視認することができ、また光源を発光させると、その光が導光板内に側面から入射して導光板で面方向に導かれ、この導かれた光が各プリズムの反射面で導光板の下面側に向けて反射されるので、導光板全体が面発光して導光板の下側の表示部材全体をほぼ均一に照明することができ、しかも表示部材が上面側から照明されるので、表示部材が材質の制約を受けず、表示部材として、光透過性を有する材料、あるいは光透過性を有しない材料などの自由な材料を用いることができる。
【０１０５】
この場合、ライン状のプリズムが、光源とこれに対向する導光板の対角部とを結ぶ直線に対しほぼ直交して設けられ、その反射面が一方側に向いて設けられていることにより、光源からの光が導光板に入射して導光板で面方向に導かれると、この導かれた光がプリズムの反射面で導光板の下面側に向けて反射され、これにより導光板全体が面発光し、この面発光した光が導光板の下面側に放射されるので、導光板の下面側に配置された表示部材全体をほぼ均一に照明することができる。また、導光板の側面に、導光板で導かれて導光板の端面に到達した光を導光板内に向けて反射する側面反射部が設けられていることにより、光源からの光が導光板で面方向に導かれて導光板の端面に到達すると、この到達した光を側面反射部で導光板内に向けて反射するので、導光板の側面からの漏れ光を防ぐことができるほか、導光板のプリズムの反射面が光源と反対側に向いて設けられていれば、側面反射部で反射された光を導光板のプリズムでその下面側に向けて反射することができ、これにより導光板全体が面発光し、この面発光した光が導光板の下面側に放射されるので、これによっても導光板の下面側に配置された表示部材全体をほぼ均一に照明することができる。
【０１０６】
また、ライン状のプリズムが、光源とこれに対向する導光板の対角部とを結ぶ直線に対しほぼ平行に設けられ、その反射面が一方側に向いて設けられ、少なくともプリズムの反射面側に位置する導光板の側面に、導光板で導かれて導光板の端面に到達した光を導光板内に向けて反射する側面反射部が設けられていることにより、光源からの光が導光板で面方向に導かれて導光板の端面に到達すると、この到達した光が側面反射部によって導光板内に向けて反射され、この反射された光が各プリズムの反射面で導光板の下面側に向けて反射されるので、この反射された光によってその下側に配置された表示部材全体をほぼ均一に照明することができる。このときには、光源から導光板に入射した光が導光板の面方向に導かれるときに、その光がプリズムの反射面で導光板の下面側に向けてほとんど反射されないため、輝線スペクトルが発生せず、輝線スペクトルによる影響を受けずに表示部材を良好に視認することができる。
【０１０７】
この場合、導光板が第１、第２照明領域を備え、第１照明領域が、反射面を一方側に向けて設けた第１プリズムと、この第１プリズムの反射面側に位置する導光板の側面に設けられた第１側面反射部とを有し、第２照明領域が、反射面を第１プリズムと反対側に向けて設けた第２プリズムと、この第２プリズムの反射面側に位置する導光板の側面に設けられた第２側面反射部とを有していることにより、光源からの光が導光板に入射して導光板内を面方向に導かれても、その光が第１、第２プリズムの各反射面でほとんど反射されず、そのまま面方向に導かれ、この導かれた光が導光板の第１、第２側面反射部で反射されると、第１側面反射部で反射された光が第１プリズムの反射面で導光板の下面側に向けて反射されると共に、第２側面反射部で反射された光が第２プリズムの反射面で導光板の下面側に向けて反射され、これにより第１、第２照明領域がそれぞれ面発光するので、光源からの光を効率良く導光板の下面側に放射することができ、より一層、表示部材全体を均一に且つ明るく照明することができる。
【０１０８】
また、光源が、導光板の外周部の所定個所に対向して配置された第１発光素子と、この第１発光素子の対角線上に位置する導光板の外周部に対向して配置された第２発光素子とを備え、第１、第２発光素子がそれぞれ異なる色の光を発光することにより、第１発光素子を発光させると、その特定色の光によって導光板の下面側を照明することができ、また第２発光素子を発光させると、第１発光素子と異なる色の光で導光板の下面側を照明することができ、さらに第１、第２発光素子の両方を同時に発光させると、その両方の混合色の光で導光板の下面側を照明することができ、これにより色彩性および装飾性に優れたものを得ることができる。
【０１０９】
この場合、導光板が、第１発光素子からの光を導光板の下面側に向けて放射する第１照明領域と、第２発光素子からの光を導光板の下面側に向けて放射する第２照明領域とを備えていることにより、第１発光素子を発光させると、その特定色の光が第１照明領域で導光板の下面側に向けて放射されるので、導光板の下面側を特定色の光で照明することができ、また第２発光素子を発光させると、第１発光素子と異なる色の光が第２照明領域で導光板の下面側に向けて放射されるので、導光板の下面側を第１発光素子と異なる色の光で照明することができるほか、特に第１、第２発光素子を同時に発光させても、第１、第２照明領域ごとに異なる色の光で導光板の下面側を照明することができ、このため、より一層、色彩性および装飾性の高いものを得ることができる。
【０１１０】
また、光源が、導光板の外周側の所定個所に配置された第１発光素子と、この第１発光素子の対角線上に位置する導光板の外周側に配置された第２発光素子とを備え、第１、第２発光素子の一方が可視光線領域の光を発光し、その他方が紫外線領域の光を発光する構成であり、表示部材の一部には、紫外線領域の光に反応して可視光線領域の光を発光する発光部が設けられていることにより、第１、第２発光素子の一方を発光させて人間の目に見える可視光線領域の光を発光させると、この可視光線領域の光によって導光板の下面側を照明して表示部材を視認することができ、また第１、第２発光素子の他方を発光させて人間の目に見えない紫外線領域の光を発光させると、この紫外線領域の光が表示部材に照射され、この照射された紫外線領域の光に表示部材の発光部が反応して可視光線領域の光を発光するので、この発光部で発光した可視光線領域の光によって表示部材を視認することができ、これによっても装飾性に優れたものを得ることができる。
【０１１１】
また、表示部材が、上方を指針が運針する文字板、または電気光学的に情報を表示する平面型の表示素子、あるいはその両方を備えた構成であることにより、光源からの光が導光板で導かれて導光板の下面側に向けてほぼ均一に放射されるので、表示部材が、文字板、または平面型の表示素子、あるいはその両方を備えた構成であっても、良好に照明することができる。この場合、導光板に、文字板の上方を運針する指針の指針軸が挿入する貫通孔を設け、この貫通孔の周面をテーパ状に形成することにより、光源からの光が導光板で面方向に導かれて貫通孔の周面に到達すると、この貫通孔の周面がテーパ状に形成されているため、到達した光を導光板の上下面方向に反射することができ、これにより輝線スペクトルの発生を防ぐことができる。
【０１１２】
また、表示部材が光透過性を有する構造で、その下面側にソーラーパネルを配置したことにより、表示部材を導光板の上下面のいずれにも配置することができ、しかも明るい所で外部光が導光板および表示部材を上面側から下面側に向けて透過するので、外部光をソーラーパネルに照射することができ、これによりソーラーパネルで良好に発電することができると共に、光源からの光を導光板で導いて導光板の下面側を照明する際、表示部材が導光板の下面側に配置されていれば、その表示部材を上面側から照明でき、また表示部材が導光板の上面側に配置されていれば、導光板から放射された光をソーラーパネルで反射し、この反射光が導光板を透過するので、表示部材を下面側から照明することができる。
【０１１３】
また、表示部材が、光透過性を有する第１表示部材と、光反射性を有する第２表示部材とを備え、導光板が第１、第２表示部材の間に配置されていることにより、光源からの光が導光板で導かれて第２表示部材に照射され、この照射された光が第２表示部材で反射され、この反射された光が導光板を下面側から上面側に向けて透過し、この透過した光によって第１表示部材が照明されるので、第１表示部材を視認することができると共に、この第１表示部材および導光板を透して第２表示部材を視認することができ、これにより第１、第２表示部材の両方を見ることができる。
【０１１４】
この場合、第１表示部材が電気光学的に情報を表示する透過型の第１表示素子であり、前記第２表示部材が電気光学的に情報を表示する反射型の第２表示素子であることにより、光源からの光が導光板で導かれて第２表示素子に照射されて反射され、この反射された光が導光板を下面側から上面側に向けて透過して第１表示素子に下面側から照射されるので、第１表示素子に表示された情報を見ることができると共に、この第１表示素子および導光板を透して第２表示素子に表示された情報を見ることができ、これによっても第１、第２表示素子の両方に表示された情報を見ることができる。
【図面の簡単な説明】
【図１】この発明を腕時計に適用した第１実施形態を示した正面図。
【図２】図１のＡ−Ａ矢視における拡大断面図。
【図３】図１のＡ−Ａ矢視における導光板の拡大断面図。
【図４】図２の液晶表示素子を示した要部の拡大断面図。
【図５】第１実施形態における第１変形例を示した時計モジュールの拡大正面図。
【図６】図５のＢ−Ｂ矢視における時計モジュールの拡大断面図。
【図７】図５のＢ−Ｂ矢視における導光板の拡大断面図。
【図８】この発明を腕時計に適用した第２実施形態における時計モジュールの拡大正面図。
【図９】図８のＣ−Ｃ矢視における時計モジュールの拡大断面図。
【図１０】図８のＤ−Ｄ矢視における導光板の拡大断面図。
【図１１】
図１の第１実施形態において輝線スペクトルが発生する状態を示した図。
【図１２】第２実施形態における第２変形例を示した時計モジュールの拡大正面図。
【図１３】図１２のＥ−Ｅ矢視における導光板の拡大断面図。
【図１４】この発明を腕時計に適用した第３実施形態における時計モジュールの拡大正面図。
【図１５】図１４のＦ−Ｆ矢視における時計モジュールの拡大断面図。
【図１６】図１４のＧ−Ｇ矢視における導光板の拡大断面図。
【図１７】この発明を腕時計に適用した第４実施形態における時計モジュールの拡大正面図。
【図１８】図１７のＨ−Ｈ矢視における時計モジュールの拡大断面図。
【図１９】図１８の要部を更に拡大した断面図。
【図２０】図１７において輝線スペクトルの発生状態を示した図。
【図２１】第４実施形態における第３変形例の導光板の貫通孔を示した要部の拡大断面図。
【図２２】この発明を腕時計に適用した第５実施形態における時計モジュールの拡大正面図。
【図２３】図２２のＩ−Ｉ矢視における時計モジュールの拡大断面図。
【図２４】図２２のＩ−Ｉ矢視における導光板の拡大断面図。
【図２５】図２２のＪ−Ｊ矢視における導光板の拡大断面図。
【図２６】第５実施形態における第４変形例を示した時計モジュールの拡大断面図。
【図２７】この発明を腕時計に適用した第６実施形態における時計モジュールの拡大正面図。
【図２８】図２７のＫ−Ｋ矢視における時計モジュールの拡大断面図。
【図２９】図２７のＬ−Ｌ矢視における導光板の拡大断面図。
【図３０】この発明を腕時計に適用した第７実施形態における時計モジュールの拡大正面図。
【図３１】図３０のＭ−Ｍ矢視における時計モジュールの拡大断面図。
【図３２】この発明を腕時計に適用した第８実施形態における時計モジュールの拡大正面図。
【図３３】図３２のＮ−Ｎ矢視における時計モジュールの拡大断面図。
【図３４】図３２のＮ−Ｎ矢視における導光板の拡大断面図。
【図３５】図３３の透過型の第１液晶表示素子を示した要部の拡大断面図。
【図３６】第８実施形態における第５変形例を示した時計モジュールの拡大断面図。
【図３７】この発明を携帯電話機に適用した第９実施形態を示した一部破断した拡大正面図。
【図３８】図３７の一部を破断して示した拡大側面図。
【符号の説明】
１  腕時計ケース
２  時計ガラス
３  時計モジュール
６  照明装置
９  アナログムーブメント
１０  液晶表示素子
１３、５６  文字板
１３ａ、５６ａ  時字
１５  指針
２３  発光素子
２４  導光板
２５、２７、３０、３４  プリズム
25a、27a、30a、34a、38a、40a、50a、51a、75a、77a  反射面
２８、３１、３５、５５  側面反射部
３３、４３  輝線スペクトル
３６、４５、７３  第１照明領域
３７、４６、７４  第２照明領域
３８、５０、７５  第１プリズム
３９、７６  第１側面反射部
４０、５１、７７  第２プリズム
４１、７８  第２側面反射部
４２、４４  導光板の貫通孔
４７、５３  第１発光素子
４８、５４  第２発光素子
５２  装飾部
５９  発光部
６０  ソーラーパネル
６５  第１液晶表示素子
６６  第２液晶表示素子
８０  機器ケース
８１  保護ガラス
８４  モジュール
【図１】
2004198681.tif 000003
【図２】
2004198681.tif 000004
【図３】
2004198681.tif 000005
【図４】
2004198681.tif 000006
【図５】
2004198681.tif 000007
【図６】
2004198681.tif 000008
【図７】
2004198681.tif 000009
【図８】
2004198681.tif 000010
【図９】
2004198681.tif 000011
【図１０】
2004198681.tif 000012
【図１１】
2004198681.tif 000013
【図１２】
2004198681.tif 000014
【図１３】
2004198681.tif 000015
【図１４】
2004198681.tif 000016
【図１５】
2004198681.tif 000017
【図１６】
2004198681.tif 000018
【図１７】
2004198681.tif 000019
【図１８】
2004198681.tif 000020
【図１９】
2004198681.tif 000021
【図２０】
2004198681.tif 000022
【図２１】
2004198681.tif 000023
【図２２】
2004198681.tif 000024
【図２３】
2004198681.tif 000025
【図２４】
2004198681.tif 000026
【図２５】
2004198681.tif 000027
【図２６】
2004198681.tif 000028
【図２７】
2004198681.tif 000029
【図２８】
2004198681.tif 000030
【図２９】
2004198681.tif 000031
【図３０】
2004198681.tif 000032
【図３１】
2004198681.tif 000033
【図３２】
2004198681.tif 000034
【図３３】
2004198681.tif 000035
【図３４】
2004198681.tif 000036
【図３５】
2004198681.tif 000037
【図３６】
2004198681.tif 000038
【図３７】
2004198681.tif 000039
【図３８】
2004198681.tif 000040